(57)【特許請求の範囲】
【請求項１】
虹彩を撮影するためのデバイスにおいて、
光を発生させる光源と、
前記虹彩に照射される光の屈折率を調節するための能動レンズと、
カメラと、前記虹彩に照射される光とを利用して、前記虹彩のイメージを撮像するイメージ撮像部と、
センサによって測定された測定結果に基づいて感知される撮影条件によって、前記光の屈折率を変更するように、前記能動レンズを制御する制御部と、を含むデバイス。
【請求項２】
前記光源は、前記虹彩を撮像するための赤外線を発する少なくとも１つの赤外線発光ダイオード（ＩＲＥＤ）を含み、
前記制御部は、
前記撮影された虹彩のイメージに対する虹彩認識を行うことを特徴とする請求項１に記載のデバイス。
【請求項３】
前記センサは、前記虹彩と前記デバイスとの距離を決定する距離センサを含み、
前記制御部は、前記距離センサを介して決定された距離に基づいて、前記能動レンズを制御することを特徴とする請求項１に記載のデバイス。
【請求項４】
前記デバイスは、
外部デバイスと通信を行う通信部をさらに含み、
前記制御部は、前記決定された距離が臨界値以上である場合、前記通信部を介して、前記外部デバイスに光発生を要請することを特徴とする請求項３に記載のデバイス。
【請求項５】
前記センサは、前記デバイス周辺の光量を感知する光量センサを含み、
前記制御部は、前記光量センサを介して感知された光量に基づいて、前記能動レンズを制御することを特徴とする請求項１に記載のデバイス。
【請求項６】
前記デバイスは、
外部デバイスと通信を行う通信部をさらに含み、
前記制御部は、前記感知された光量が臨界値以下である場合、前記通信部を介して、前記外部デバイスに光発生を要請することを特徴とする請求項５に記載のデバイス。
【請求項７】
前記デバイスは、
前記光源によって生じた前記光の放射面を形成するための放物線形レンズをさらに含むことを特徴とする請求項１に記載のデバイス。
【請求項８】
前記センサは、前記虹彩に係わる前記デバイスの相対的な動きを検出するセンサを含み、
前記制御部は、
前記動きを検出するセンサを利用して検出された前記動きに基づいて、前記能動レンズを制御することを特徴とする請求項１に記載のデバイス。
【請求項９】
虹彩に係わるイメージを獲得する方法において、
光源を利用して光を発生させる段階と、
センサによって測定された測定結果に基づいて感知される撮影条件によって、虹彩に照射された光の屈折率を変更するように、能動レンズを制御する段階と、
前記虹彩のイメージを撮像する段階と、を含む方法。
【請求項１０】
前記光を発生させる段階は、前記虹彩を撮像するための赤外線を発生させる段階を含み、
前記方法は、
前記虹彩を撮像したイメージに基づいて虹彩認識を行う段階を含むことを特徴とする請求項９に記載の方法。
【請求項１１】
前記能動レンズを制御する段階は、
前記センサは、前記虹彩と虹彩撮影デバイス間の距離を決定する距離センサを含み、
前記距離センサを用いて、前記虹彩と前記デバイスとの距離を決定する段階と、
前記決定された距離に基づいて、前記能動レンズを制御する段階と、を含むことを特徴とする請求項９に記載の方法。
【請求項１２】
前記光を発生させる段階は、
前記決定された距離が臨界値以上である場合、外部デバイスに光発生を要請する段階を含むことを特徴とする請求項１１に記載の方法。
【請求項１３】
前記センサは、前記虹彩撮影デバイス周辺の光量を感知する光量センサを含み、
前記能動レンズを制御する段階は、
前記光量センサを用いて、前記デバイス周辺の光量を決定する段階と、
前記決定された光量に基づいて、前記能動レンズを制御する段階と、を含むことを特徴とする請求項９に記載の方法。
【請求項１４】
前記光を発生させる段階は、
前記決定された光量が臨界値以下である場合、外部デバイスに光発生を要請する段階を含むことを特徴とする請求項１３に記載の方法。
【請求項１５】
前記センサは、前記虹彩に対する虹彩撮影デバイスの相対的な動きを検出するセンサを含み、
前記方法は、
前動きを検出するセンサを用いて、前記虹彩に対して相対的な前記デバイスの動きを検出する段階と、
前記検出された動きに基づいて、前記能動レンズを制御する段階と、を含むことを特徴とする請求項９に記載の方法。
【請求項１６】
請求項９に記載の方法を実行する動作を遂行するために、プロセッサを制御するためのプログラムを記録した非一時的記録媒体。
【発明の詳細な説明】
【技術分野】
【０００１】
本開示は、虹彩を撮影するための光を照射する方法及びそのデバイスに係り、さらに詳細には、虹彩の位置によって、適量の光を虹彩に照射する方法及びそのデバイスに関する。
【背景技術】
【０００２】
マルチメディア技術及びネットワーク技術の発展により、ユーザは、マルチメディアデバイスを介して、多様なサービスを提供されるようになった。また、該サービスの利用において、まず、ユーザは、例えば、ユーザの感知可能な虹彩情報を利用しても認証される。また、該ユーザの虹彩情報を利用してユーザを認証するためには、ユーザの虹彩を撮影しなければならない。該虹彩撮影のためには、虹彩に十分な量の光を提供する必要がある。従って、撮影条件と係わりなく、適切な虹彩映像獲得のために、ユーザの虹彩に十分な量の光を照射する必要がある。
【０００３】
デバイスは多量の光量を放出する光源を利用して、虹彩に十分な量の光を照射することができる。しかし、虹彩が近距離にある場合、多量の光がユーザの眼球に照射されれば、ユーザの目を害したり、ユーザに不便をもたらしたりするという問題がある。従って、適量の光が虹彩に照射される必要がある。
【０００４】
従って、虹彩撮影デバイスは、ユーザの位置、及びユーザの便宜性維持によって、適量の光をユーザに照射する必要がある。
【０００５】
前述の情報は、背景情報としてのみ提示されたものであり、本開示理解の一助とするために提供されるのである。前述の内容のうち、いずれも本開示と係わり、先行技術として適用されるか否かということについては、いかなる決定も下されておらず、いかなる主張も提起されていない。
【発明の概要】
【発明が解決しようとする課題】
【０００６】
本開示の一側面は、少なくとも前述の問題点及び／または短所を解消し、少なくとも後述する利点を提供するために提供される。従って、本発明の一側面は、能動レンズを使用して、ユーザの虹彩に効果的に光を照射する方法及びその装置を提供するものである。
【課題を解決するための手段】
【０００７】
本開示の一側面は、少なくとも前述の問題点及び／または短所を解消し、少なくとも後述する利点を提供するために提供される。従って、本発明の一側面は、能動レンズを使用して、ユーザの虹彩に効果的に光を照射する方法及びその装置を提供するものである。
【０００８】
本開示の特定実施形態の前記側面及び他の側面、特徴及び利点は、添付された図面と共に結合された以下の説明からさらに明確になるであろう。
【発明の効果】
【０００９】
本開示の一側面によれば、能動レンズを使用して、ユーザの虹彩に効果的に光を照射する方法及びその装置を提供することができる。
【図面の簡単な説明】
【００１０】
【図１】本開示の多様な実施形態によるデバイスが、ユーザの虹彩を撮影するために、虹彩に光を照射する例示を図示した図面である。
【図２Ａ】本開示の多様な実施形態による、レンズによって調節される光の放射角によって、虹彩に照射される光の量を説明するための例示図である。
【図２Ｂ】本開示の多様な実施形態による、レンズによって調節される光の放射角によって、虹彩に照射される光の量を説明するための例示図である。
【図３】本開示の多様な実施形態によるデバイスの構造を図示したブロック図である。
【図４】本開示の多様な実施形態によるデバイスの構造を図示したブロック図である。
【図５Ａ】本開示の多様な実施形態による、液晶を利用した能動レンズの構造を図示した概念図である。
【図５Ｂ】本開示の多様な実施形態による、液晶を利用した能動レンズの構造を図示した概念図である。
【図６Ａ】本開示の多様な実施形態による、アクチェエータ（actuator）方式を利用した能動レンズの構造を図示した断面図である。
【図６Ｂ】本開示の多様な実施形態による、アクチェエータ（actuator）方式を利用した能動レンズの構造を図示した断面図である。
【図７Ａ】本開示の多様な実施形態による、マイクロ流体ポンプ（micro  fluid  pump）方式のメンブレン（membrane）を利用した能動レンズの構造を図示した断面図である。
【図７Ｂ】本開示の多様な実施形態による、マイクロ流体ポンプ（micro  fluid  pump）方式のメンブレン（membrane）を利用した能動レンズの構造を図示した断面図である。
【図８Ａ】本開示の多様な実施形態による、電気湿潤（electrowetting）現象を利用した能動レンズの構造を図示した概念図である。
【図８Ｂ】本開示の多様な実施形態による、電気湿潤（electrowetting）現象を利用した能動レンズの構造を図示した概念図である。
【図８Ｃ】本開示の多様な実施形態による、電気湿潤（electrowetting）現象を利用した能動レンズの構造を図示した概念図である。
【図９】本開示の多様な実施形態による、放物線形レンズ（parabolic  lens）を含むデバイスの構造について説明するための概念図である。
【図１０】本開示の多様な実施形態によるデバイスが、虹彩を撮影するプロセスを図示したフローチャートである。
【図１１】本開示の多様な実施形態によるデバイスが、外部デバイスを利用して光を照射する例示を図示した概念図である。
【図１２】本開示の多様な実施形態によるデバイスが、外部デバイスを利用して、光を照射するプロセスについて説明するためのフローチャートである。
【図１３】本開示の多様な実施形態によるデバイスが、距離に基づいて、能動レンズを制御するプロセスを図示したフローチャートである。
【図１４】本開示の多様な実施形態によるデバイスが、周辺光量をさらに考慮し、能動レンズを制御するプロセスを図示したフローチャートである。
【発明を実施するための形態】
【００１１】
本開示の一側面は、少なくとも前述の問題点及び／または短所を解消し、少なくとも後述する利点を提供するために提供される。従って、本発明の一側面は、能動レンズを使用して、ユーザの虹彩に効果的に光を照射する方法及びその装置を提供するものである。
【００１２】
本開示の他の側面は、撮影条件によって、能動レンズを調節することができる方法及びそのデバイスを提供することである。
【００１３】
本開示の一側面によれば、虹彩を撮影するための光を照射するデバイスが提供される。該デバイスは、光を発生させる光源、前記虹彩に照射される光の屈折率を調節するための能動レンズ、カメラと、前記虹彩に照射される光とを利用して、前記虹彩のイメージを撮像するイメージ撮像部、及び感知された撮影条件に基づいて、前記光の屈折率を変更するように、前記能動レンズを制御する制御部を含んでもよい。
【００１４】
本開示の他の一側面によれば、虹彩に係わるイメージを獲得する方法が提供される。該方法は、光源を利用して光を発生させる段階、少なくとも前記感知された撮影条件に基づいて、虹彩に照射された光の屈折率を変更するように、前記能動レンズを制御する段階、前記虹彩のイメージを撮像する段階を含んでもよい。
【００１５】
本開示の他の一側面によれば、デバイスによって、虹彩のイメージを獲得する方法を実行するためのプログラムを記録した記録媒体が提供される。
【００１６】
本開示の他の側面、長所、及び顕著な特徴は、添付された図面と共に結合された以下の詳細な説明から、通常の技術者に明白であり、それは、本開示の多様な実施形態を開示するものである。
【００１７】
添付された図面を参照した以下の説明は、特許請求の範囲、及びその均等物によって定義された本開示の多様な実施形態に対する包括的な理解の一助とするために提供される。以下の説明は、理解の一助とするための多様な特定細部事項を含むが、それらは、ただ例示的なものと見なされなければならない。従って、本技術分野の当業者であるならば、本明細書に記載された多様な実施形態の多様な変更及び修正が、本開示の思想及び範囲を外れずになされるということを認識するであろう。また、公知された機能及び構成に係わる説明は明、確性及び簡潔性のために省略された。
【００１８】
以下の詳細な説明、及び特許請求の範囲で使用された用語及び単語は、書誌的意味に限定されず、本開示に対する明確であって一貫した理解が可能になるようにするために、発明者によって使用されたものである。従って、本開示の多様な実施形態に係わる以下の説明は、ただ例示のためのものであり、添付された特許請求の範囲及びその均等物によって定義された本開示を制限するための目的ではないということは、当業者に明白であろう。
【００１９】
単数形態「ａ」、「ａｎ」及び「ｔｈｅ」は、文脈上、異なって指示しない限り、複数形を含むということを理解しなければならない。従って、例えば、「構成要素表面」に係わる言及は、かような１以上の表面に係わる言及を含む。
【００２０】
明細書全体において、ある部分が他の部分と「連結」されているとするとき、それは、「直接連結」されている場合だけではなく、その中間に、他の素子を挟んで「電気的に連結」されている場合も含む。また、ある部分がある構成要素を「含む」とするとき、それは、特別に反対となる記載がない限り、他の構成要素を除くものではなく、他の構成要素をさらに含んでもよいということを意味する。
【００２１】
以下、添付された図面を参照し、本発明について詳細に説明する。図面全体において、同一参照番号は、同一であるか、あるいは類似した要素、特徴及び構造を示すために使用されるという点に留意しなければならない。
【００２２】
図１は、本開示の多様な実施形態によるデバイス１００が、ユーザの虹彩を撮影するために、虹彩に光を照射する例示を図示した図面である。図１を参照すれば、ユーザの虹彩１０を撮影するために、光源（すなわち、発光部）１３２を介して、ユーザの虹彩１０に光を照射するデバイス１００が提供される。イメージ撮影部（すなわち、受光部）１３３は、虹彩１０を撮影することができる。デバイス１００は、虹彩１０に逹する光の量を調節するために、光源１３２で発生する光が広がっていく程度（すなわち、放射角）を調節することができる。
【００２３】
また、デバイス１００によって撮影された虹彩１０は、虹彩認識を介して、デバイス１００のユーザ認証にも利用される。ここで、デバイス１００は、所定サービスを提供するために、ユーザを認証することができる。ここで、サービス提供者、またはデバイス１００によって提供される全種類のサービスを含む。該サービスは、例えば、放送サービス、コンテンツ共有サービス、コンテンツ提供サービス、電力管理サービス、ゲーム提供サービス、チャットサービス、文書作成サービス、検索サービス、通話サービス、写真撮影サービス、交通手段お勧めサービス及び動画再生サービスを含んでもよい。しかし、それらに制限されるものではない。
【００２４】
デバイス１００は、スマートフォン、タブレットＰＣ（personal  computer）、ＰＣ、スマートＴＶ（television）、携帯電話、ＰＤＡ（personal  digital  assistant）、ラップトップ、メディアプレーヤ、マイクロサーバ、ＧＰＳ（global  position  system）装置、電子書籍端末機、デジタル放送用端末機、ナビゲーション、キオスク、ＭＰ３プレーヤ、デジタルカメラ、家電機器、及びその他のモバイルまたは非モバイルのコンピュータ装置でもあるが、それらに制限されるものではない。また、デバイス１００は、通信機能及びデータプロセシング機能を具備した時計、めがね、ヘアバンド及び指輪などのウェアラブルデバイスでもある。しかし、それらに制限されるものではなく、ユーザの虹彩に光を照射することができる全種類の機器を含んでもよい。
【００２５】
図２Ａ及び図２Ｂは、本開示の多様な実施形態による、レンズによって調節される光の放射角によって、虹彩に照射される光の量について説明するための例示図である。
【００２６】
光源２３２で生じた光がレンズを透過する場合、該光は、レンズ透過によって屈折される。ここで、該レンズによって光が屈折される程度（すなわち、屈折率）によって、光源２３２で生じた光の放射角が異なる。例えば、レンズの曲率半径によってレンズの屈折率が異なる。
【００２７】
図２Ａを参照すれば、光源２３２から放射された光が、曲率半径が大きい（すなわち、曲率が小さい）レンズ２１０を透過する場合を図示した例示図である。図２Ａを参照すれば、曲率半径が大きいレンズ２１０を透過した光は、放射角が大きく形成されるので、少量の光がユーザの虹彩１０に逹する。すなわち、ユーザの虹彩１０が、光源２３２から近くに位置する場合、曲率半径が大きいレンズ２１０を利用して、虹彩１０に逹する光量を減少させることができる。
【００２８】
図２Ｂを参照すれば、光源２３２から放射された光が、曲率半径が小さい（すなわち、曲率が大きい）レンズ２２０を透過する場合を図示した例示図である。図２Ｂを参照すれば、曲率半径が小さいレンズ２２０を透過した光は、放射角が小さく形成されるので、ユーザの虹彩に逹する光の量が、曲率半径が大きいレンズ２１０を透過する場合に比べて増加する。すなわち、ユーザの虹彩１０が、光源２３２から近くに位置する場合、曲率半径が小さいレンズ２２０を利用して、虹彩１０に逹する光量を増加させることができる。
【００２９】
ただし、デバイス１００の大きさが小型化されるためには、デバイス１００は、多数のレンズを含み難いという問題点がある。従って、デバイス１００は、図３及び図４に図示されているように、能動レンズ１３１を含んでもよい。
【００３０】
図３及び図４は、本開示の多様な実施形態によるデバイス１００の構造を図示したブロック図である。
【００３１】
図３を参照すれば、デバイス１００は、光源１３２、能動レンズ１３１、イメージ撮像部１３３及び制御部１８０を含んでもよい。図３は、デバイス１００の必須構成要素と非必須構成要素とをいずれも含む。本開示の多様な実施形態によれば、図３に図示された構成要素より多くの構成要素によって、デバイス１００が具現されもし、図３に図示された構成要素より少ない構成要素によっても、デバイス１００が具現される。
【００３２】
例えば、図４を参照すれば、一部実施形態によるデバイス１００は、ユーザ入力部１１０、出力部１２０、センサ１４０、通信部１５０及びＡ／Ｖ（audio/video）入力部１６０をさらに含んでもよい。また、例えば、虹彩撮影部１３０は、能動レンズ１３１、光源１３２及びイメージ撮像部１３３を含み、イメージ撮像部１３３は、赤外線カメラ１３３−１及びＴＯＦ（time-of-flight）カメラのうち少なくとも一つを含んでもよい。
【００３３】
ユーザ入力部１１０は、ユーザが、デバイス１００を制御するためのデータを入力する手段を意味する。例えば、ユーザ入力部１１０には、キーパッド（key  pad）、ドームスイッチ（dome  switch）、タッチパッド（例えば、接触式静電容量方式、圧力式抵抗膜方式、赤外線感知方式、表面超音波伝導方式、積分式張力測定方式、ピエゾ効果方式など）、ジョグホイール、ジョグスイッチなどがあるが、それらに限定されるものではない。
【００３４】
ユーザ入力部１１０は、デバイス１００によって提供されるサービスを利用するためのユーザ入力を受信することができる。
【００３５】
出力部１２０は、オーディオ信号、ビデオ信号または振動信号を出力することができる。出力部１２０は、ディスプレイ部１２１、音響出力部１２２及び振動モータ１２３のうち少なくとも一つを含んでもよい。
【００３６】
ディスプレイ部１２１は、デバイス１００によって処理される情報を表示出力することができる。例えば、ディスプレイ部１２１は、虹彩撮影部１３０によって撮影された虹彩に係わる虹彩認識結果をディスプレイすることができる。また、ディスプレイ部１２１は、デバイス１００によって提供されるサービスを利用するためのユーザインターフェース（ＵＩ）をディスプレイすることができる。
【００３７】
一方、ディスプレイ部１２１とタッチパッドとがレイヤ構造をない、タッチスクリーンとして構成される場合、ディスプレイ部１２１は、出力装置以外に、入力装置としても使用される。ディスプレイ部１２１は、液晶ディスプレイ（liquid  crystal  display）、薄膜トランジスタ液晶ディスプレイ（thin  film  transistor-liquid  crystal  display）、有機発光ダイオード（organic  light-emitting  diode）、フレキシブルディスプレイ（flexible  display）、三次元ディスプレイ（３Ｄ  display）、電気泳動ディスプレイ（electrophoretic  display）のうち少なくとも一つを含んでもよい。また、デバイス１００の性能によって、デバイス１００は、２個以上のディスプレイ部１２１を含んでもよい。
【００３８】
音響出力部１２２は、通信部１５０から受信されるか、あるいはメモリ１７０に保存されたオーディオデータを出力することができる。また、音響出力部１２２は、デバイス１００で遂行される機能（例えば、コール信号受信音、メッセージ受信音、お知らせ音）と係わる音響信号を出力する。音響出力部１２２は、スピーカ（speaker）やブザー（buzzer）などを含んでもよいが、本実施形態は、それらに限定されるものではない。
【００３９】
振動モータ１２３は、振動信号を出力することができる。例えば、振動モータ１２３は、オーディオデータまたはビデオデータ（例えば、コール信号受信音、メッセージ受信音など）の出力に対応する振動信号を出力することができる。また、振動モータ１２３は、タッチスクリーンを介してタッチ入力が受信される場合、振動信号を出力することもできる。
【００４０】
虹彩撮影部１３０は、制御部１８０の制御により、ユーザの虹彩１０を撮影することができる。虹彩撮影部１３３は、能動レンズ１３１、光源１３２及びイメージ撮像部１３３を含んでもよい。
【００４１】
能動レンズ１３１は、制御部１８０の制御により、能動レンズ１３１を透過する光の屈折率を調節することができる少なくとも１つのレンズを含む。例えば、能動レンズ１３１は、液晶レンズ、アクチェエータ（actuator）方式を利用したレンズ、メンブレン（membrane）レンズ、及び電気湿潤（electrowitting）レンズのうち少なくとも一つを含んでもよい。すなわち、デバイス１００は、制御部１８０の制御により、能動レンズの内部を透過する光の屈折率を変化されられる。
【００４２】
光源１３２は、制御部１８０の制御により、光を発生させることができる。例えば、光源１３２は、赤外線発光ダイオード（ＩＲＥＤ：infrared  emitting  diode）または可視光線発光ダイオード（ＬＥＤ：light  emitting  diode）を含んでもよいが、それらに限定されるのはない。光源１３２で生じた光は、能動レンズ１３１を透過し、虹彩１０に照射される。
【００４３】
イメージ撮像部１３３は、制御部１８０の制御により、ユーザの虹彩１０を撮像することができる。例えば、イメージ撮像部１３３は、赤外線カメラ１３３−１を含んでもよいが、それに制限されるものではない。
【００４４】
また、デバイス１００の性能によって、デバイス１００は、距離センサ１９０をさらに含んでもよい。例えば、デバイス１００が、ＴＯＦ（time-of-flight）カメラ１３３−２を含む場合、距離センサ１９０は、ＴＯＦカメラ１３３−２を利用して、デバイス１００からユーザの虹彩１０までの距離を決定することができる。その場合、距離センサ１９０は、イメージ撮像部１３３のＴＯＦカメラ１３３−２を含んでもよい。他の例を挙げれば、距離センサ１９０は、イメージ撮像部１３３によって撮像された虹彩１０に基づいて、デバイス１００からユーザの虹彩１０までの距離を決定することができる。具体的には、距離センサ１９０は、撮像された虹彩１０の映像から瞳孔を検出することができる。距離センサ１９０は、検出された瞳孔の大きさから、デバイス１００から虹彩１０までの距離を算出することができる。すなわち、検出された瞳孔が大きい場合、距離センサ１９０は、デバイス１００からユーザの虹彩１０までの距離が近いと決定することができる。反対に、撮像された瞳孔の大きさが小さい場合、距離センサ１９０は、デバイス１００からユーザの虹彩１０までの距離が遠いと決定することができる。その場合、距離センサ１９０は、制御部１８０にも含まれる。
【００４５】
また、デバイス１００の性能によって、デバイス１００は、光量センサ１９５をさらに含んでもよい。例えば、光量センサ１９５は、赤外線カメラ１３３−１または赤外線センサ１４４を利用して、デバイス１００周辺の赤外線の光量を感知することができる。他の例を挙げれば、光量センサ１９５は、カメラ１６１またはＲＧＢセンサ１４９を利用して、デバイス１００周辺の可視光線の光量を感知することができる。
【００４６】
センシング部１４０は、地磁気センサ（geomagnetic  sensor）１４１、加速度センサ（acceleration  sensor）１４２、温度／湿度センサ１４３、赤外線センサ１４４、ジャイロスコープセンサ１４５、位置センサ（例えば、ＧＰＳ（global  position  system））１４６、気圧センサ１４７、近接センサ１４８及びＲＧＢセンサ（illuminance  sensor）１４９のうち少なくとも一つを含んでもよいが、それらに限定されるのではない。各センサの機能は、その名称から、当業者が直観的に推論することができるので、具体的な説明は省略する。
【００４７】
通信部１５０は、外部デバイス（図示せず）と通信を行うための１以上の構成要素を含んでもよい。例えば、通信部１５０は、近距離通信部１５１、移動通信部１５２及び放送受信部１５３のうち少なくとも一つを含んでもよい。
【００４８】
近距離通信部（short-range  wireless  communication  unit）１５１は、ブルートゥース（登録商標（Bluetooth））通信部、ＢＬＥ（Bluetooth  low  energy）通信部、近距離無線通信部（near  field  communication  unit）、ＷＬＡＮ（wireless  local  area  network）（Ｗｉ−Ｆｉ）通信部、ジグビー（Zigbee）通信部、赤外線（ＩｒＤＡ：infrared  data  association）通信部、ＷＦＤ（Ｗｉ−Ｆｉ  direct）通信部、ＵＷＢ（ultra  wideband）通信部、Ａｎｔ＋通信部などを含んでもよいが、それらに限定されるのではない。
【００４９】
移動通信部１５２は、移動通信網上において、基地局、外部端末、サーバのうち少なくとも一つと、有線信号または無線信号を送受信する。ここで、該有線信号または該無線信号は、音声コール信号、画像通話コール信号、または文字／マルチメディアメッセージ送受信による多様な形態のデータを含んでもよい。
【００５０】
放送受信部１５３は、放送チャンネルを介して、デバイス外部から、放送信号及び／または放送関連情報を受信する。該放送チャネルは、衛星チャネル、地上波チャネルを含んでもよい。一具現例により、デバイス１００の多様な実施形態は、放送受信部１５３を含まないこともある。
【００５１】
Ａ／Ｖ（audio/video）入力部１６０は、オーディオ信号またはビデオ信号の入力のためのものであり、それには、カメラ１６１やマイクロフォン１６２などが含まれてもよい。カメラ１６１は、画像通話モードまたは撮影モードで、イメージセンサを介して、静止映像または動画などの画像フレームを得ることができる。該イメージセンサを介してキャプチャされたイメージは、制御部１８０または別途のイメージ処理部（図示せず）を介しても処理される。
【００５２】
カメラ１６１で処理された画像フレームは、メモリ１７０に保存されるか、あるいは通信部１５０を介してデバイスにも伝送される。カメラ１６１は、端末機の構成様態により、２個以上が具備されもする。カメラ１６１は、前述のイメージ撮像部１３３内に含まれるか、あるいはイメージ撮影部１３３とは別途の構成によっても具現される。
【００５３】
マイクロフォン１６２は、外部の音響信号を入力され、デジタル音声データのような電気的な音声データに処理する。例えば、マイクロフォン１６２は、外部デバイスまたは話者から、音響信号を受信することができる。マイクロフォン１６２は、外部の音響信号を入力される過程で発生するノイズ（noise）を除去するための多様なノイズ除去アルゴリズムを利用することができる。
【００５４】
メモリ１７０は、メモリタイプ（flash  memory  type）、ハードディスクタイプ（hard  disk  type）、マルチメディアカードマイクロタイプ（multimedia  card  micro  type）、カードタイプのメモリ（例えば、ＳＤメモリまたはＸＤメモリなど）、ＲＡＭ（random  access  memory）、ＳＲＡＭ（static  random  access  memory）、ＲＯＭ（read-only  memory）、ＥＥＰＲＯＭ（electrically  erasable  programmable  read-only  memory）、ＰＲＯＭ（programmable  read-only  memory）、磁気メモリ、磁気ディスク、光ディスクのうち少なくとも１つのタイプの記録媒体を含んでもよい。
【００５５】
メモリ１７０に保存されたプログラムは、その機能によって、複数個のモジュールに分類することができるが、例えば、ＵＩ（user  interface）モジュール１７１、タッチスクリーンモジュール１７２、お知らせモジュール１７３などにも分類される。
【００５６】
ＵＩモジュール１７１は、アプリケーション別にデバイス１００と連動される特化されたＵＩ、ＧＵＩ（graphic  user  interface）などを提供することができる。タッチスクリーンモジュール１７２は、ユーザのタッチスクリーン上のタッチジェスチャを感知し、該タッチジェスチャに係わる情報を制御部１８０に伝達することができる。一部実施形態によるタッチスクリーンモジュール１７２は、タッチコードを認識して分析することができる。タッチスクリーンモジュール１７２は、コントローラを含む別途のハードウェアからも構成される。
【００５７】
該タッチスクリーンのタッチまたは近接タッチ（例えば、ホバリング）を感知するために、タッチスクリーンの内部または近辺に、多様なセンサが具備される。該タッチスクリーンのタッチを感知するためのセンサの一例として、触覚センサがある。該触覚センサは、人が感じるほど、またはそれ以上に、特定物体の接触を感知するセンサをいう。該触覚センサは、接触面の粗度、接触物体の硬度、接触地点の温度など多様な情報を感知することができる。
【００５８】
また、タッチスクリーンのタッチを感知するためのセンサの一例として、近接センサがある。
【００５９】
該近接センサは、所定検出面に接近する物体、あるいは近辺に存在する物体の有無を、電子系の力、または赤外線を利用して、機械的接触なしに検出するセンサをいう。近接センサの例としては、透過型光電センサ、直接反射型光電センサ、ミラー反射型光電センサ、高周波発振型近接センサ、静電容量近接センサ、磁気型近接センサ、赤外線近接センサなどがある。ユーザのタッチジェスチャには、タップ、タッチ＆ホールド、ダブルタップ、ドラッグ、パンニング、フリック、ドラッグアンドドロップ、スワイプなどがある。
【００６０】
お知らせモジュール１７３は、デバイス１００のイベント発生を知らせるための信号を発することができる。デバイス１００で生じるイベントの例としては、コール信号受信、メッセージ受信、キー信号入力、日程お知らせなどがある。お知らせモジュール１７３は、ディスプレイ部１２１を介して、ビデオ信号形態で、お知らせ信号を出力することもでき、音響出力部１２２０を介して、オーディオ信号形態で、お知らせ信号を出力することもでき、振動モータ１２３を介して、振動信号形態で、お知らせ信号を出力することもできる。
【００６１】
制御部１８０は、一般的に、デバイス１００の全般的な動作を制御することができる。例えば、制御部１８０は、メモリ１７０に保存されたプログラムを実行することにより、ユーザ入力部１１０、出力部１２０、虹彩撮影部１３０、センサ１４０、通信部１５０、Ａ／Ｖ入力部１６０及びメモリ１７０などを制御することができる。
【００６２】
具体的には、制御部１８０は、１以上の光源と、能動レンズ１３１とを制御することにより、光源から発生し、能動レンズ１３１を透過する光の屈折率を調節することができる。例えば、制御部１８０は、デバイス１００から虹彩１０までの距離、デバイス１００周辺の光量、またはデバイス１００の動きに基づいて、能動レンズ１３１を制御することができる。
【００６３】
一実施形態によれば、例えば、距離センサ１９０によって感知された、デバイス１００から虹彩１０までの距離が近い場合、制御部１８０は、光源１３２によって生じた光のうち少量が虹彩１０に逹するように、能動レンズ１３１を制御することができる。反対に、例えば、距離センサ１９０によって感知された、デバイス１００から虹彩１０までの距離が遠い場合、制御部１８０は、光源１３２によって生じた光が、虹彩１０の位置に集まるように（または、焦点が形成されるように）、能動レンズ１３１を制御することができる。
【００６４】
他の実施形態によれば、光量センサ１９５によって感知された光量（例えば、周辺光または周囲光）が多い場合、制御部１８０は、光源１３２によって生じた光のうち少量が虹彩１０に逹するように、能動レンズ１３１を制御することができる。反対に、光量センサ１９５によって感知された光量（例えば、周辺光または周囲光）が少ない場合、制御部１８０は、光源１３２によって生じた光が虹彩１０の位置に集まるように（または、焦点が形成されるように）、能動レンズ１３１を制御することができる。
【００６５】
さらに他の実施形態によれば、センサ１４０によって感知されたデバイス１００の動きが多い場合、制御部１８０は、広い範囲に光源１３２から生じた光が逹するように、能動レンズ１３１を制御することができる（例えば、能動レンズ１３１を透過した光の放射角が大きいように、能動レンズ１３１を制御することができる）。その場合、放射角の増大により、虹彩１０に十分な量の光が逹するようにするために、制御部１８０は、光源１３２によって生じる光の量が増加するように、光源１３２を制御することができる。反対に、センサ１４０によって感知されたデバイス１００の動きが少ないか、あるいはない場合、制御部１８０は、虹彩１０の位置に限り、光源１３２から生じた光が逹するように、能動レンズ１３１を制御することができる（例えば、能動レンズ１３１を透過した光の放射角が小さいように、能動レンズ１３１を制御することができる）。本発明の多様な実施形態によれば、感知された動きは、デバイス１００と虹彩１０との間で相対的でもある。すなわち、感知された動きは、デバイス１００の動き、虹彩１０の動き、またはデバイス１００と虹彩１０との動き組み合わせを含んでもよい。
【００６６】
また、制御部１８０は、虹彩１０までの距離、デバイス１００周辺の光量、及びデバイス１００の動き組み合わせに基づいて、能動レンズ１３１を制御することもできる。また、虹彩１０までの距離、デバイス１００周辺の光量、及びデバイス１００の動きによって、能動レンズ１３１を制御するための基準は、あらかじめ設定されるか、あるいは時間によっても動的に決定される。
【００６７】
図５Ａ及び図５Ｂは、本開示の多様な実施形態による、液晶（例えば、液晶レンズ）を利用した能動レンズの構造を図示した概念図である。
【００６８】
該液晶レンズは、液晶レンズ内部に含まれた液晶を構成する物質の特性を利用して、レンズの屈折率を調節することができる。該液晶レンズ内部に含まれた液晶を構成する物質に電圧を印加することにより、液晶レンズ内部の液晶を構成する物質の位置及び方向を調節することができ、それにより、液晶レンズの屈折率が調節される。
【００６９】
図５Ａ及び図５Ｂを参照すれば、液晶レンズは、液晶５１０及び透明導電膜（例えば、ＩＴＯ（indium  tin  oxide））５２０を含んでもよい。デバイス１００は、透明導電膜５２０に電圧Ｖを加えることにより、液晶レンズの屈折率が調節される。
【００７０】
図６Ａ及び図６Ｂは、本開示の多様な実施形態による、アクチェエータ方式を利用した能動レンズの構造を図示した断面図である。
【００７１】
図６Ａを参照すれば、アクチェエータ方式を利用した能動レンズは、内部に充填された流体６１０、レンズ部分を形成するための薄膜６３０、及び流体に圧力をかけるための加圧部６２０を含んでもよい。
【００７２】
図６Ｂを参照すれば、加圧部６２０に圧力をかければ、移動した流体によって、薄膜６３０に圧力が伝達され、薄膜の形態が変化する。変化された薄膜の形態によって、流体及び薄膜６３０を透過する光の屈折率が調節される。
【００７３】
図７Ａ及び図７Ｂは、本開示の多様な実施形態による、マイクロ流体ポンプ（micro  fluid  pump）方式のメンブレン（membrane）を利用した能動レンズの構造を図示した断面図である。
【００７４】
図７Ａを参照すれば、メンブレンレンズは、薄膜７１０を介して、レンズ部が構成される。ここで、流体ポート（fluid  port）７２０を介して、流体ポンプ（fluid  pump）がレンズ内部に流体を注入すれば、図７Ｂに図示されているように、圧力によって、薄膜７１０の形態（すなわち、曲率）が変化する。レンズ外部の形態変化により、レンズを透過する光の屈折率が調節される。
【００７５】
図８Ａないし図８Ｃは、本開示の多様な実施形態による、電気湿潤（electrowetting）現象を利用した能動レンズの構造を図示した概念図である。
【００７６】
電気湿潤レンズは、該電気湿潤レンズを形成する流体の境界面の形状を変化させることにより、レンズ特性が調節される。
【００７７】
図８Ａないし図８Ｃを参照すれば、電気湿潤レンズの特性は、電気湿潤レンズを形成する流体８１２，８１４の境界面８１３の形状を変化させることによって調節される。電気湿潤レンズを形成する流体８１２，８１４は、伝導性流体でもある。該電気湿潤レンズを形成する流体８１２，８１４に所定電圧Ｖが印加されることにより、流体の表面張力が操作されるか、あるいは除去される。それにより、該電気湿潤レンズを形成する２つの流体８１２，８１４の境界面８１３の曲率が変更され、該電気湿潤レンズの屈折率が調節される。
【００７８】
例えば、図８Ａを参照すれば、流体８１２，８１４に、３０Ｖの電圧Ｖが印加される場合、境界面８１３の形状によって、電気湿潤レンズは、凹型レンズのような屈折率を有することができる。また、図８Ｂを参照すれば、流体８１２，８１４に、４５Ｖの電圧Ｖが印加される場合、境界面８１３の形状によって、電気湿潤レンズは、平面レンズのような屈折率を有することができる。また、図８Ｃを参照すれば、流体８１２，８１４に、６０Ｖの電圧Ｖが印加される場合、境界面８１３の形状によって、電気湿潤レンズは、凸型レンズのような屈折率を有することができる。
【００７９】
図９は、本開示の多様な実施形態による、放物線形レンズ（parabolic  lens）を含むデバイス１００の構造について説明するための概念図である。
【００８０】
図９を参照すれば、デバイス１００は、光源１３２によって生じた光の放射面を形成するために、放物線形レンズ９１０を含んでもよい。本開示の多様な実施形態によれば、放物線形レンズ９１０は、内部に光源１３２が配置された放物線形ミラーでも代替される。
【００８１】
図９に図示されているように、光源１３２から生じた光は、放物線形レンズ９１０を透過することにより、放射面を形成した状態において、能動レンズ１３１に入射される。その場合、デバイス１００は、デバイス１００からユーザの虹彩１０までの距離によって、適切な位置に焦点９２０が形成されるように、能動レンズ１３１の屈折率を制御することができる。
【００８２】
図１０は、本開示の多様な実施形態による、デバイス１００が虹彩を撮影するプロセスを図示したフローチャートである。図１０を参照すれば、Ｓ１０１０段階において、デバイス１００は、能動レンズ１３１を制御することができる。デバイス１００は、能動レンズ１３１を制御することにより、能動レンズ１３１を透過する光の屈折率を調節することができる。デバイス１００は、前述のように、一実施形態により、多様なパラメータに基づいて、能動レンズ１３１を制御することができる。能動レンズ１３１を制御するためにも利用されるパラメータは、デバイス１００から虹彩１０までの距離、デバイス１００周辺の光量、及びデバイス１００の動きなどを含んでもよいが、それらに限定されるものではない。
【００８３】
多様な実施形態によれば、Ｓ１０１０段階においてデバイス１００は、デバイス１００から虹彩１０までの距離を決定することができる。デバイス１００から虹彩１０までの距離は、多様な方法で決定される。例えば、デバイス１００は、ＴＯＦカメラ１３３−２を利用して、デバイス１００から放射された光が、虹彩１０から反射して戻ってくるのに所要した時間から、デバイス１００から虹彩１０までの距離を決定することができる。デバイス１００は、ＴＯＦカメラ１３３−２を利用すれば光、が虹彩１０から反射して戻ってくるのに所要した時間を、光の位相差から決定することができる。他の例を挙げれば、デバイス１００は、まず、虹彩１０を撮像した後、撮像された虹彩１０の映像から、虹彩１０の大きさや瞳孔を検出することができる。デバイス１０は、虹彩１０の大きさや、検出された瞳孔の大きさから、デバイス１００から虹彩１０までの距離を算出することができる。すなわち、撮像された虹彩１０の大きさや、検出された瞳孔が大きい場合、デバイス１００は、デバイス１００からユーザの虹彩１０までの距離が近いと決定することができる。反対に、撮像された撮像された虹彩１０の大きさや、検出された瞳孔の大きさが小さい場合、デバイス１００は、デバイス１００からユーザの虹彩１０までの距離が遠いと決定することができる。デバイス１００から虹彩１０までの距離が決定されれば、デバイス１００は、決定された距離によって、能動レンズを制御することができる。例えば、決定された距離が遠い場合、デバイス１００は、能動レンズを透過した光の放射角が小さく形成されるように、能動レンズを制御することができる。反対に、決定された距離が近い場合、デバイス１００は、能動レンズを透過した光の放射角が大きく形成されるように、能動レンズを制御することができる。ただし、それらに限定されるものではない。
【００８４】
他の多様な実施形態によれば、Ｓ１０１０段階においてデバイス１００は、デバイス１００周辺の光量（例えば、周辺光または周囲光）を決定することができる。例えば、デバイス１００は、赤外線カメラ１３３−１または赤外線センサ１４４を利用して、デバイス１００周辺の赤外線の光量を感知することができる。他の例を挙げれば、デバイス１００は、カメラ１６１またはＲＧＢセンサ１４９を利用して、デバイス１００周辺の可視光線の光量を感知することができる。デバイス１００周辺の光量が決定されれば、デバイス１００は、決定された光量によって、能動レンズを制御することができる。例えば、決定された光量が少ない場合、デバイス１００は、能動レンズを透過した光の放射角が小さく形成されるように、能動レンズを制御することができる。反対に、決定された光量が多い場合、デバイス１００は、能動レンズを透過した光の放射角が大きく形成されるように、能動レンズを制御することができる。ただし、それらに限定されるものではない。
【００８５】
さらに他の多様な実施形態によれば、Ｓ１０１０段階においてデバイス１００は、デバイス１００の動きによって、能動レンズを制御することができる。例えば、デバイス１００の動きのパターンが、能動レンズを透過した光の放射範囲を外れやすいと判断される場合（例えば、動き量が多い場合）、デバイス１００は、能動レンズを透過した光の放射角が大きく形成されるように、能動レンズを制御することができる。反対に、デバイス１００の動きが少ないか、あるいはない場合、デバイス１００は、能動レンズを透過した光の放射角が小さく形成されるように、能動レンズを制御することができる。ただし、本開示は、かような例に限定されるものではない。
【００８６】
または、デバイス１００は、虹彩１０までの距離、デバイス１００周辺の光量、及びデバイス１００の動き組み合わせに基づいて、能動レンズ１３１を制御することもできる。
【００８７】
その後、Ｓ１０２０段階においてデバイス１００は、光源１３２を利用して、光を発生させることができる。ここで、光源１３２によって生じる光は、可視光線領域の光、または赤外線領域の光を含んでもよいが、それらに限定されるものではない。他の多様な実施形態において、デバイス１０００は、光源１３２を利用して、多様な光を発生させることができる。
【００８８】
光源１３２で生じて能動レンズ１３１を透過した光が虹彩に照射されることにより、デバイス１００は、Ｓ１０３０段階において、虹彩のイメージを撮像することができる。撮像したイメージが不十分な場合、図１０の過程が反復される。
【００８９】
図１１は、本開示の多様な実施形態による、デバイス１００が、外部デバイス１１００を利用して、光を照射する例示を図示した概念図である。
【００９０】
多様な実施形態によれば、デバイス１００に具備された虹彩撮影部１３０の性能だけで、虹彩１０に十分な光を照射し難い位置に虹彩１０がある場合、デバイス１００は、外部デバイス１１００を利用して、虹彩１０に光を追加して照射することもできる。ここで、外部デバイス１１００は、デバイス１００と通信可能であり、虹彩１００に光を照射することができる任意のデバイスを含んでもよい。例えば、外部デバイス１１００は、スマートフォン、タブレットＰＣ、ＰＣ、スマートＴＶ、携帯電話、ＰＤＡ、ラップトップ、メディアプレイヤ、マイクロサーバ、ＧＰＳ装置、電子書籍端末機、デジタル放送用端末機、ナビゲーション、キオスク、ＭＰ３プレイヤ、デジタルカメラ、家電機器、及びその他のモバイルまたは非モバイルのコンピュータ装置でもあるが、それらに制限されるものではない。
【００９１】
図１１を参照すれば、外部デバイス１１００は、通信機能及びデータプロセシング機能を具備した時計、めがね、ヘアバンド及び指輪などの形態に具現されたウェアラブルデバイス（wearable  device）でもある。外部装置１１００は、デバイス１００と通信し、指示されたように、虹彩１０に照射するに十分な量の光を提供する。多様な実施形態によれば、外部装置１１００は、前述のように、光源及び／または能動レンズを具備することができる。
【００９２】
図１２は、本開示の多様な実施形態による、デバイス１００が外部デバイス１１００を利用して、光を照射するプロセスについて説明するためのフローチャートである。図１２を参照すれば、デバイス１００は、外部デバイス１１００に光発生を要請するか否かということを判断することができる。その後、Ｓ１２１０段階においてデバイス１００は、判断結果によって、外部デバイス１１００に光発生を要請することができる。例えば、デバイス１００の制御部１８０は、距離センサ１９０によって、デバイス１００から虹彩１０までの距離が決定された場合、デバイス１００から虹彩１０までの距離が臨界値以上であるか否かということを判断することができる。ここで、該臨界値は、一実施形態によってあらかじめ決定された値であるか、あるいはデバイス１００のユーザによって設定された値でもある。デバイス１００から虹彩１０までの距離が臨界値以上である場合、デバイス１００は、通信部１５０を介して、外部デバイス１１００に光発生を要請することができる。他の例を挙げれば、デバイス１００の制御部１８０は、光量センサ１９５によって、デバイス１００周辺の光量が感知された場合、感知された光量が臨界値以下であるか否かということを判断することができる。ここで、該臨界値は、一実施形態によってあらかじめ決定された値であるか、あるいはデバイス１００のユーザによって設定された値でもある。感知された光量が臨界値以下である場合、デバイス１００は、通信部１５０を介して、外部デバイス１１００に光発生を要請することができる。または、距離が臨界値以上であり、光量が臨界値以下である場合、デバイス１００は、通信部１５０を介して、外部デバイス１１００に光発生を要請することができる。ここで、距離に係わる臨界値と、光量に係わる臨界値は、互いに独立した値でもある。
【００９３】
また、Ｓ１２１０段階においてデバイス１００は、近距離無線通信を利用して、外部デバイス１１００を検索することができる。例えば、デバイス１００は、近距離無線通信連結が可能である複数のデバイスを探索することができる。デバイス１００は、探索したデバイスのうち、虹彩１０に光を照射することができるデバイスを選択することができる。すなわち、近距離無線通信を介して、外部デバイスの類型に係わる情報を受信し、受信された情報に基づいて、適切な類型の外部デバイス（例えば、ＨＭＤ（head  mounted  display）デバイスや外部発光装置）を選択することができる。
【００９４】
その後、Ｓ１２２５段階において、外部デバイス１１００は、Ｓ１２１０段階で受信された要請によって、光を発生させることができる。一部実施形態によれば、Ｓ１２１０段階において、外部デバイス１１００が受信した要請は、光を発生させる時点に係わる情報が含まれてもよい。その場合、デバイス１１００は、受信された要請に含まれた光を発生させる時点で光を発生させることができる。また、Ｓ１２２０段階において、デバイス１００は、外部デバイス１１００に伝送された要請に含まれた時点で、光を発生させることもでき、光を発生させないようにも要請される。一実施形態により、Ｓ１２２０段階は、省略されてもよい。
【００９５】
その後、Ｓ１２２０段階及びＳ１２２５段階でデバイス１００及び外部デバイス１１００のうち少なくとも一つによって生じた光に基づいて、Ｓ１２３０段階でデバイス１００は、虹彩のイメージを撮像することができる。
【００９６】
図１３は、本開示の多様な実施形態による、デバイス１００が距離に基づいて、能動レンズを制御するプロセスを図示したフローチャートである。図１３を参照すれば、Ｓ１３００段階においてデバイス１００は、虹彩と、デバイス１００のカメラとの距離を決定することができる。ここで、該カメラは、赤外線カメラ１３３−１、ＴＯＦカメラ１３３−２及びカメラ１６１のうち少なくとも一つでもある。
【００９７】
その後、Ｓ１３１０段階においてデバイス１００は、Ｓ１３００段階で決定された距離が臨界値より小さいか否かということを判断することができる。決定された距離が臨界値より小さい場合、Ｓ１３２０段階においてデバイス１００は、決定された距離に基づいて、能動レンズを制御することができる。
【００９８】
決定された距離が臨界値ほど小さくない場合、デバイス１００は、Ｓ１３１５段階において、外部デバイス１１００に光発生を要請することができる。また、デバイス１００は、決定された距離に基づいて、能動レンズを制御することができる（Ｓ１３２０）。
【００９９】
その後、Ｓ１３３０段階においてデバイス１００は、光源１３２を介して光を発生させることもでき、光を発生させないようにも要請される。一実施形態によって、Ｓ１３３０段階は、省略されてもよい。その後、Ｓ１３４０段階においてデバイス１００は、デバイス１００及び外部デバイス１１００のうち少なくとも一つによって生じた光を利用して、虹彩１０のイメージを撮像することができる。
【０１００】
その後、Ｓ１３５０段階においてデバイス１００は、イメージ撮影部１３３によって撮像された虹彩１０のイメージに基づいて、虹彩認識を行うことができる。該虹彩認識は、人によって固有特性を有した１以上の眼球の虹彩情報を利用して、人を認識する技術及び／または認証体系を意味する。すなわち、該虹彩認識は、虹彩の形態、色、網膜毛細管の形態素などを分析して、人を識別するプロセスを意味する。該虹彩認識を行うために、デバイス１００は、虹彩のパターンをコード化し、データベースに登録された虹彩コードと比較し、一致いかんを判断することができる。デバイス１００は、虹彩認識を利用して、ユーザにサービスを提供することができる。例えば、デバイス１００は、虹彩認識を利用して、ユーザを識別し、ユーザ認証が成功した場合、デバイス１００のロッキングを解除するか、あるいは決済プロセスを遂行することができる。
【０１０１】
図１４は、本開示の多様な実施形態による、デバイス１００が周辺光量をさらに考慮し、能動レンズを制御するプロセスを図示したフローチャートである。図１４を参照すれば、Ｓ１４００段階においてデバイス１００は、虹彩１０とカメラとの距離を決定することができる。ここで、該カメラは、赤外線カメラ１３３−１、ＴＯＦカメラ１３３−２及びカメラ１６１のうち少なくとも一つでもある。また、Ｓ１４０５段階においてデバイス１００は、デバイス１００周辺の光量を決定することができる。
【０１０２】
その後、Ｓ１４１０段階においてデバイス１００は、決定された距離が第１臨界値より小さいか否かということを判断することができる。決定された距離が第１臨界値より小さい場合、Ｓ１４５０段階においてデバイス１００は、決定された距離、及び決定された光量に基づいて、能動レンズを制御することができる。
【０１０３】
決定された距離が第１臨界値ほど小さくない場合、Ｓ１４２０段階においてデバイス１００は、決定された光量が、第２臨界値より大きいか否かということを判断することができる。ここで、該第２臨界値は、Ｓ１４００段階で決定された距離によっても決定される。例えば、Ｓ１４００段階で決定された距離が大きい場合、デバイス１００周辺が明るい場合、虹彩１０を撮像することができるので、デバイス１００は、第２臨界値を大きい数値に決定することができる。反対に、Ｓ１４００段階で決定された距離が小さい場合、Ｓ１４００段階で決定された距離が大きい場合に比べ、周辺が暗い場合にも虹彩を撮像することができるので、デバイス１００は、第２臨界値は、小さい数値にも決定される。光量が第２臨界値より大きい場合、デバイス１００は、決定された距離、及び決定された光量に基づいて、能動レンズを制御することができる（Ｓ１４５０）。すなわち、決定された距離が第１臨界値以下と決定された光量が、第２臨界値以上である場合、デバイス１００から虹彩１０までの距離が遠いとしても、デバイス１００周辺が十分に明るいので、デバイス１００は、外部デバイス１１００に光発生を要請しない。決定された光量が第２臨界値以下である場合、デバイス１００は、Ｓ１４４０段階において、外部デバイス１１００に光発生を要請し、Ｓ１４５０段階で決定された距離、及び決定された光量に基づいて、能動レンズを制御することができる。
【０１０４】
その後、Ｓ１４６０段階においてデバイス１００は、光源１３２を介して光を発生させることもでき、光を発生させないようにも要請される。一実施形態により、Ｓ１４６０段階は、省略されてもよい。その後、Ｓ１４７０段階においてデバイス１００は、デバイス１００及び外部デバイス１１００のうち少なくとも一つによって生じた光を利用して、虹彩１０を撮像することができる。
【０１０５】
その後、Ｓ１４８０段階においてデバイス１００は、撮像された虹彩１０のイメージに基づいて、虹彩認識を行うことができる。
【０１０６】
本発明の一実施形態は、コンピュータによって実行されるプログラムモジュールのような、コンピュータによって実行可能な命令語を含む記録媒体の形態でも具現される。コンピュータ可読媒体は、コンピュータによってアクセスされる任意可用媒体でもあり、揮発性及び不揮発性の媒体、分離型及び非分離型の媒体をいずれも含む。また、該コンピュータ可読媒体は、コンピュータ記録媒体及び通信媒体をいずれも含んでもよい。該コンピュータ記録媒体は、コンピュータ可読命令語、データ構造、プログラムモジュールまたはその他データのような、情報保存のための任意方法または技術によって具現された揮発性及び不揮発性、分離型及び非分離型の媒体をいずれも含む。該通信媒体は、典型的に、コンピュータ可読命令語、データ構造、プログラムモジュール、または搬送波のような変調されたデータ信号のその他データ、またはその他伝送メカニズムを含み、任意の情報伝達媒体を含む。
【０１０７】
前述の説明は、本開示の多様な実施形態についての説明のものであり、本発明が属する技術分野の当業者であるならば、本発明の技術的思想や、必須な特徴を変更せずにも、他の具体的な形態で容易に変形が可能であるということを理解することができるであろう。従って、以上で記述した実施形態は、全ての面において例示的なものであり、限定的ではないと理解されなければならない。例えば、単一型と説明されている各構成要素は、分散されても実施され、同様に、分散されていると説明されている構成要素も、結合された形態によっても実施される。
【０１０８】
本開示は、多様な一実施形態を参照して説明されて図示され、当業者であるならば、形態及び細部事項に係わる多様な変更が、特許請求の範囲及びその均等物によって定義された本開示の意味及び範囲から外れずになされるということを理解するであろう。
【図１】
0006557730.tif 000002
【図２Ａ】
0006557730.tif 000003
【図２Ｂ】
0006557730.tif 000004
【図３】
0006557730.tif 000005
【図４】
0006557730.tif 000006
【図５Ａ】
0006557730.tif 000007
【図５Ｂ】
0006557730.tif 000008
【図６Ａ】
0006557730.tif 000009
【図６Ｂ】
0006557730.tif 000010
【図７Ａ】
0006557730.tif 000011
【図７Ｂ】
0006557730.tif 000012
【図８Ａ】
0006557730.tif 000013
【図８Ｂ】
0006557730.tif 000014
【図８Ｃ】
0006557730.tif 000015
【図９】
0006557730.tif 000016
【図１０】
0006557730.tif 000017
【図１１】
0006557730.tif 000018
【図１２】
0006557730.tif 000019
【図１３】
0006557730.tif 000020
【図１４】
0006557730.tif 000021